(57)【要約】【課題】保温剤を使用可能でかつ保温剤の不用意な離脱を防止する。【解決手段】手袋本体１１の本体部２２より親指が挿入される親指部２３延出し、本体部２２先端に指部４２を設ける。手袋本体１１に設けられた袋部１２を、人差し指と中指と薬指と小指を先端側から被覆する大きさに形成し、袋部１２の挿入口５１の開口縁部を手袋本体１１の手の甲側５２に縫着する。これにより、袋部１２に各指を挿入した被覆状態と、袋部１２を手の甲側５２に折り返して各指を露出した露出状態６２を形成可能に構成する。袋部１２に内袋７１を設け、袋部１２と内袋７１間に、収容口８１が開口した収容部８２を設ける。収容口８１及び収容部８２を、保温剤８３を収容可能な大きさに形成し、収容口８１を手袋本体１１に接合された開口縁部側に設定する。【選択図】図２
2007303036.tif 000002
【特許請求の範囲】
【請求項１】
手の指がそれぞれ挿入される指部を備えた手袋本体に、前記各指部に挿入された複数の指を先端側から被覆する袋部の開口縁部が接合され、前記袋部を前記手袋本体の先端側へ延出して当該袋部内に前記複数の指を挿入した被覆状態と、前記袋部を前記手袋本体に沿って基端側へ折返し前記各指部を露出した露出状態とを形成可能な手袋において、
前記袋部の内側に収容部を設けるとともに、該収容部の収容口を、前記手袋本体に接合された開口縁部側に設けたことを特徴とする手袋。
【請求項２】
前記手袋本体の手の甲側であって、装着時に前記手の第２中手骨の基節骨側の端部が位置する部位より指先側に前記袋部の開口縁部を接合したことを特徴とする請求項１記載の手袋。
【請求項３】
前記袋部の少なくとも一部を通気性素材により形成するとともに、水、活性炭、鉄及び塩が通気性の袋内に収容されてなる保温剤を前記収容部内に収容したことを特徴とする請求項１又は２記載の手袋。
【請求項４】
前記各指部の少なくとも一つに、挿入された指の先端部を出し入れ可能な出入穴を当該指部の周面に設けたことを特徴とする請求項１、２又は３記載の手袋。
【請求項５】
前記出入穴を、前記指部の長さ方向に延在する縦長に形成したことを特徴とする請求項４記載の手袋。
【発明の詳細な説明】
【技術分野】
【０００１】
本発明は、手にはめて使用する手袋に関する。
【背景技術】
【０００２】
従来、寒い日に外出する際には、手袋が用いられており、この手袋としては、手の指がそれぞれ挿入される筒状の指部と、親指用の指部を除いた総ての指部を覆う為の袋部とを備えたものが知られている（例えば、特許文献１）。
【０００３】
前記袋部は、その開口縁部が手袋本体に接合されており、当該袋部を前記接合部で折り返すことによって、前記各指部の先端から指の先端部を露出した状態を形成できるように構成されている。
【０００４】
そして、前記袋部を手袋本体の先端側へ延出するとともに、親指が挿入された指部を除く総ての指部を前記袋部に挿入することによって、人差し指から小指までを前記袋部で覆った状態を形成できるように構成されている。
【０００５】
また、他の手袋としては、手袋本体に収容部が一体形成されたものが知られている（例えば、特許文献２）。
【０００６】
この手袋にあっては、手袋本体に設けられた収容部にカイロ等の保温剤を収容することで、この保温剤によって手を暖められるように構成されている。
【特許文献１】実開昭６１−１９１４１９号公報
【特許文献２】実開昭６０−１３２４１４号公報
【発明の開示】
【発明が解決しようとする課題】
【０００７】
しかしながら、このような前者の手袋にあっては、カイロ等の保温剤を使用することができなかった。
【０００８】
このため、後者の手袋のように、手袋本体に保温剤を収容する為の収容部を設けることが考えられるが、単純に収容部を設けただけでは、収容部に収容された保温剤が収容口から離脱する恐れがあった。
【０００９】
本発明は、このような従来の課題に鑑みてなされたものであり、保温剤の使用が可能であって、保温剤の不用意な離脱を防止することができる手袋を提供することを目的とするものである。
【課題を解決するための手段】
【００１０】
前記課題を解決するために本発明の請求項１の手袋にあっては、手の指がそれぞれ挿入される指部を備えた手袋本体に、前記各指部に挿入された複数の指を先端側から被覆する袋部の開口縁部が接合され、前記袋部を前記手袋本体の先端側へ延出して当該袋部内に前記複数の指を挿入した被覆状態と、前記袋部を前記手袋本体に沿って基端側へ折返し前記各指部を露出した露出状態とを形成可能な手袋において、前記袋部の内側に収容部を設けるとともに、該収容部の収容口を、前記手袋本体に接合された開口縁部側に設けた。
【００１１】
すなわち、手袋本体に設けられた袋部を、前記手袋本体に沿って基端側へ折返すことで、前記手袋本体の各指部にそれぞれ挿入された指を露出した露出状態を形成することができる。これにより、手作業が容易に行われる。
【００１２】
また、前記袋部を、前記手袋本体の先端側へ延出することで、当該袋部内に前記複数の指を挿入した被覆状態を形成することができる。これにより、前記複数の指での保温効果が高められる。
【００１３】
このとき、前記袋部の内側には、収容部が設けられており、該収容部に、例えば保温剤を収容することができる。これにより、当該袋部に挿入された指は、前記保温剤によって暖められる。
【００１４】
そして、該収容部の収容口は、前記手袋本体に接合された開口縁部側に設けられている。このため、前記袋部に前記指を挿入した状態において、前記収容口の外部への開口が前記指によって阻止される。
【００１５】
また、請求項２の手袋においては、前記手袋本体の手の甲側であって、装着時に前記手の第２中手骨の基節骨側の端部が位置する部位より指先側に前記袋部の開口縁部を接合した。
【００１６】
これにより、前記露出状態では、前記袋部が手の甲側に折り返される。
【００１７】
また、前記被覆状態では、前記収容部に収容された前記保温剤を指の背側に配置される。
【００１８】
そして、前記袋部の前記開口縁部は、装着時に手の第２中手骨の基節骨側の端部が位置する部位より指先側、つまり手を握った際に指の付け根の出っ張る骨より指先側に接合されている。
【００１９】
このため、指先を前記袋部で覆った被覆状態で指を曲げる、あるいは握持する際に、前記袋部が手袋本体の基端側に引っ張られることが無い。特に、前記収容部に保温剤を収容した場合には、これによる効果が顕著に現れる。
【００２０】
さらに、請求項３の手袋では、前記袋部の少なくとも一部を通気性素材により形成するとともに、水、活性炭、鉄及び塩が通気性の袋内に収容されてなる保温剤を前記収容部内に収容した。
【００２１】
これにより、前記収容部に収容された前記保温剤によって手が暖められる。
【００２２】
加えて、請求項４の手袋にあっては、前記各指部の少なくとも一つに、挿入された指の先端部を出し入れ可能な出入穴を当該指部の周面に設けた。
【００２３】
すなわち、前記出入穴が設けられた指部において、挿入された指の先端部を前記出入穴から出した状態と、前記指部に収容した状態とが形成される。
【００２４】
また、請求項５の手袋においては、前記出入穴を、前記指部の長さ方向に延在する縦長に形成した。
【００２５】
これにより、縦長の前記出入穴から指先を出すことができる。
【００２６】
そして、前記指部を編み物で構成する場合、筒状の指部は、その周方向に編んで形成することとなる。このとき、前記出入穴は縦穴で構成されている。このため、長さ方向に延在する前記出入穴は、網工程において形成することができる。
【００２７】
また、前記指部内で指を曲げた際には、前記出入穴を横穴にした場合と比較して、出入穴の開きを抑えることができる。
【発明の効果】
【００２８】
以上説明したように本発明の請求項１の手袋にあっては、手袋本体に設けられた袋部を前記手袋本体に沿って基端側へ折返すことで、前記手袋本体の各指部にそれぞれ挿入された指を露出した露出状態を形成することができる。これにより、手作業を容易に行うことができる。
【００２９】
また、前記袋部を、前記手袋本体の先端側へ延出することで、当該袋部内に前記複数の指を挿入した被覆状態を形成することができる。これにより、寒い日には、前記複数の指での保温効果を高めることができる。
【００３０】
このとき、前記袋部の内側には、収容部が設けられており、該収容部に、例えば保温剤を収容することができる。このため、当該袋部に挿入された指を、前記保温剤によって暖めることもできる。
【００３１】
そして、この収容部の収容口は、前記手袋本体に接合された開口縁部側に設けられており、前記袋部に前記指を挿入した状態において、前記収容口の外部への開口を前記指によって阻止することができる。
【００３２】
このため、手袋本体の手の甲側に単純に収容部を設ける場合のように、収容部に収容された例えば保温剤が収容口から離脱するといった不具合を回避することができ、保温剤の不用意な離脱を防止することができる。
【００３３】
また、請求項２の手袋においては、前記手袋本体の手の甲側に前記袋部の開口縁部を接合することによって、前記露出状態では、前記袋部を手の甲側に折り返すことができる。
【００３４】
そして、前記被覆状態では、前記収容部に収容された前記保温剤を指の背側に配置することができる。このため、前記保温剤が指の腹側に配置される場合と比較して、把持性を高めることができる。
【００３５】
また、前記袋部の前記開口縁部は、装着時に手の第２中手骨の基節骨側の端部が位置する部位より指先側、つまり手を握った際に指の付け根の出っ張る骨より指先側に接合されている。このため、指先を前記袋部で覆った被覆状態で指を曲げる、あるいは握持する際に、前記袋部が手袋本体の基端側に引っ張られることが無い。特に、この効果は、前記収容部に保温剤を収容した場合に顕著に現れる。
【００３６】
さらに、請求項３の手袋では、前記袋部の少なくとも一部を通気性素材により形成するとともに、水、活性炭、鉄及び塩が通気性の袋内に収容されてなる保温剤を前記収容部内に収容したため、前記収容部に収容された前記保温剤によって手を暖めることができる。
【００３７】
加えて、請求項４の手袋にあっては、出入穴が設けられた指部において、挿入された指の先端部を、前記出入穴から出した状態と、前記指部に収容した状態とを形成することができる。
【００３８】
これにより、前記出入穴より指先を出すことによって、細かい作業を可能とすることができる。また、指先を指部に収容した状態では、指を保温したり、保護することができる。
【００３９】
また、請求項５の手袋においては、前記出入穴を、前記指部の長さ方向に延在する縦長に形成することによって、前記出入穴からの指先の出し入れが容易となる。
【００４０】
そして、前記指部を編み物で構成する場合には、その網工程において長さ方向に延在する前記出入穴を形成することができる。このため、筒状の指部を形成した後に、前記出入穴を開設する場合と比較して、後工程が不要となり、生産性が向上する。
【００４１】
さらに、前記指部内で指を曲げた際には、前記出入穴を横穴で構成した場合と比較して、出入穴の不用意な開きを抑制することができ、保温効果を高めることができる。
【発明を実施するための最良の形態】
【００４２】
以下、本発明の一実施の形態を図に従って説明する。図１は、本実施の形態にかかる手袋１を示す図であり、該手袋１は、手２を寒さや外傷から防ぐものである。
【００４３】
この手袋１は、図１及び図２に示すように、全体が毛糸が編まれてなる通気性素材で形成されており、装着時に手２を覆う手袋本体１１と、該手袋本体１１に設けられた袋部１２とによって構成されている。
【００４４】
前記手袋本体１１は、装着時に手首を覆う手首部２１と、該手首部２１に連設され手の平や手の甲を覆う本体部２２と、該本体部２２より延出し手の親指が挿入されるサック状の親指部２３とを備えており、前記手首部２１は、当該手袋本体１１の下端部が折り返された状態で接合されて形成されている。
【００４５】
前記本体部２２の先端からは、図１に示したように、前記手２の人差し指３１が挿入される筒状の人差し指部４１と、前記手２の中指３２が挿入される筒状の中指部４２と、前記手２の薬指３３が挿入される筒状の薬指部４３と、前記手２の小指３４が挿入される筒状の小指部４４とが延出しており、前記各指部４１〜４４は、挿入された各指３１〜３４の第二関節から先端側を露出する長さ寸法に設定されている。
【００４６】
前記袋部１２は、図３に示すように、前記人差し指部４１に挿入された前記人差し指３１と、前記中指部４２に挿入された前記中指３２と、前記薬指部４３に挿入された前記薬指３３と、前記小指部４４に挿入された前記小指３４とを、同時にその先端側から被覆できる大きさのサック状に形成されている。
【００４７】
この袋部１２は、図２に示したように、各指３１〜３４を挿入する為の挿入口５１の開口縁部が、前記手袋本体１１の手の甲側５２において、前記各指部４１〜４４の基端側に配置された状態で（図１参照）、当該手袋本体１１に縫製されており、該手袋本体１１を横断する縫製部５３で折り曲げられるように構成されている。
【００４８】
ここで、図４は、手２の骨を示す図であり、手の平の部位は、第１〜第５の中手骨５５，・・・で構成されている。また、前記各指３１〜３４の指骨５６は、手の平側から順に基節骨５７と中節骨５８と末節骨５９とで構成されており、前記手２に当該手袋１を装着した状態で、前記第２〜第５中手骨５５の基節骨５７側の端部が位置する手袋本体１１の部位より指先側に、前記袋部１２の開口縁部が接合され縫製されている（図１参照）。
【００４９】
これにより、図３に示したように、前記袋部１２を前記手袋本体１１の先端側へ延出して、当該袋部１２内に、親指を除いた前記人差し指３１から前記小指３４までを挿入した被覆状態６１と、図１に示したように、前記袋部１２を、手の甲側５２において前記手袋本体１１に沿って基端側へ折返し、前記各指部４１〜４４を露出した露出状態６２とを形成できるように構成されている。
【００５０】
また、前記袋部１２内には、図２に示したように、同形状でやや小さめの内袋７１が収容されている。この内袋７１の開口縁部には、外側に配置された前記袋部１２の開口縁部が、前記手袋本体１１側の一部を除いた部位にて折り返されており、この折返し部７２にて縫製されている。これにより、前記内袋７１は、前記袋部１２の内側に配置された状態で一体化されている。
【００５１】
前記袋部１２と前記内袋７１との間には、前記折返し部７２の形成が除かれた前記手袋本体１１側の前記一部に収容口８１が開口しており、前記袋部１２と前記内袋７１との間には、前記収容口８１に連通する収容部８２が形成されている。前記収容口８１及び前記収容部８２は、カイロ等の保温剤８３を収容できる大きさに設定されており、前記袋部１２の内側には、前記保温剤８３を収容可能な前記収容部８２が設けられるとともに、前記収容口８１は、前記手袋本体１１に接合された開口縁部側に設定されている。
【００５２】
なお、前記保温剤８３は、通気性を有した袋８５と、該袋８５内に収容された水、活性炭、鉄及び塩等の発熱材及び酸化促進触媒によって構成されている。
【００５３】
そして、図５に示すように、前記手袋本体１１に設けられた前記親指部２３の周面９１の側部には、スリット状の出入穴９２が開設されており、該出入穴９２は、前記親指部２３の長さ方向に延在する縦長に形成されている。この出入穴９２は、当該親指部２３の伸縮を利用して広げた際に、挿入された親指の先端部を出し入れできる大きさに設定されており、その開設位置は、親指の側部であって第１関節の部位に設けられ、その長さは、該第１関節から上方へ約１ｃｍ、下方へ約１ｃｍ延出する長さに設定されている。
【００５４】
以上の構成にかかる本実施の形態において、前記手袋本体１１に設けられた袋部１２を、前記手袋本体１１に沿って基端側へ折返すことで、前記手袋本体１１の各指部４１〜４４にそれぞれ挿入された各指３１〜３４を露出した露出状態６２を形成することができる。これにより、作業時には、手作業を容易に行うことができる。
【００５５】
また、前記袋部１２を、前記手袋本体１１の先端側へ延出することで、当該袋部１２内に親指を除く各指３１〜３４を挿入した被覆状態６１を形成することができる。これにより、ミトン型の手袋１として使用することができるとともに、寒い日には、前記各指３１〜３４を前記袋部１２で覆って保温効果を高めることができる。
【００５６】
このとき、前記袋部１２の内側には、収容部８２が設けられており、該収容部８２に、カイロなどの保温剤８３を収容することができる。このため、当該袋部１２に挿入された前記各指３１〜３４を、前記保温剤８３によって暖めることもできる。
【００５７】
そして、この収容部８２の収容口８１は、前記手袋本体１１に接合された開口縁部側に設けられており、前記袋部１２に前記各指３１〜３４を挿入した状態において、前記収容口８１の外部への開口を前記各指３１〜３４によって阻止することができる。
【００５８】
このため、手袋本体１１の手の甲側５２に単純に収容部８２を設ける場合のように、収容部８２に収容された保温剤８３が収容口８１から離脱するといった不具合を回避することができ、保温剤８３の不用意な離脱を防止することができる。
【００５９】
また、前記手袋本体１１の手の甲側５２に前記袋部１２の開口縁部が逢着されており、前記露出状態６２では、図２に示したように、前記手袋本体１１を横断する縫製部５３において、前記袋部１２を手の甲側５２に折り返すことができる。
【００６０】
一方、前記被覆状態６１では、前記収容部８２に収容された前記保温剤８３を各指３１〜３４の背側に配置することができる。このため、前記保温剤８３が各指３１〜３４の腹側に配置される場合と比較して、把持性を確保することができる。
【００６１】
また、この被覆状態６１では、前記収容部８２に収容された前記保温剤８３を各指３１〜３４の背側に配置することができる。このため、前記保温剤８３が各指３１〜３４の腹側に配置される場合と比較して、把持性を高めることができる。
【００６２】
そして、前記袋部１２の前記開口縁部は、装着時に手２の第２〜５中手骨５５，・・・の基節骨５７，・・・側の端部が位置する部位より指先側、つまり手２を握った際に各指３１〜３４の付け根の出っ張る拳部１１１，・・・より指先側に接合されている（図４参照）。このため、指先を前記袋部１２で覆った前記被覆状態６１で各指３１〜３４を曲げる、あるいは握持する際に、前記袋部１２が手袋本体１１の基端側に引っ張られることが無い。特に、この効果は、前記収容部８２に前記保温剤８３を収容した場合に顕著に現れる。
【００６３】
さらに、前記手袋本体１１に設けられた前記親指部２３には、出入穴９２が設けられており、この親指部２３において挿入された親指の先端部を、前記出入穴９２から出した状態と、前記親指部２３に収容した状態とを形成することができる。
【００６４】
このため、前記出入穴９２から親指の指先を出すことによって、細かい作業を可能とすることができる。また、指先を親指部２３に収容した状態では、親指を保温したり、保護することができる。
【００６５】
そして、前記出入穴９２を、前記親指部２３の長さ方向に延在する縦長に形成することで、前記出入穴９２からの指先の出し入れが容易となる。
【００６６】
一方、前記親指部２３を編み物で構成した本実施の形態にあっては、筒状の前記親指部２３を、その周方向に編んで形成することとなる。このとき、前記出入穴９２は縦穴で構成されている。このため、長さ方向に延在する前記出入穴９２を、網工程において形成することができる。
【００６７】
したがって、筒状の親指部２３を形成した後に、前記出入穴９２を開設する場合と比較して、後工程が不要となり、生産性が向上する。
【図面の簡単な説明】
【００６８】
【図１】本発明の一実施の形態を示す図である。
【図２】図１のＡ−Ａ線に沿った断面図である。
【図３】同実施の形態の被覆状態を示す図である。
【図４】手の骨を示す参考図である。
【図５】同実施の形態の手袋の手の平側を示す図である。
【符号の説明】
【００６９】
１    手袋
２    手
１１    手袋本体
１２    袋部
２３    親指部
３１    人差し指
３２    中指
３３    薬指
３４    小指
４１    人差し指部
４２    中指部
４３    薬指部
４４    小指部
５２    手の甲
６１    被覆状態
６２    露出状態
８１    収容口
８２    収容部
８３    保温剤
９１    周面
９２    出入穴
【図１】
2007303036.tif 000003
【図２】
2007303036.tif 000004
【図３】
2007303036.tif 000005
【図４】
2007303036.tif 000006
【図５】
2007303036.tif 000007